(57)【特許請求の範囲】
【請求項１】
７Ｈｚ以下の低周波数であって、縦波の性質を有する電磁波を、還元性を付与すべき物体に対して照射することを特徴とする還元性付与方法。
【請求項２】
前記電磁波には、微細な波形成分が重畳されている請求項１に記載の還元性付与方法。
【請求項３】
７Ｈｚ以下の低周波数の交流電流を発生させる電源手段と、
この電源手段にて発生される交流電流が通電されて、縦波の性質を有する７Ｈｚ以下の低周波数の電磁波を放射する１または複数の放射体と、
を具備することを特徴とする還元性付与装置。
【請求項４】
前記電源手段は、微細な波形成分が重畳された交流電流を発生する請求項３に記載の還元性付与装置。
【請求項５】
前記電源手段は、交流電流が通電されることによって、７Ｈｚ以下の低周波数の交流電流が発せられるブリッジ回路によって構成された発振回路を有している請求項３に記載の還元性付与装置。
【請求項６】
前記発振回路のブリッジ回路は、相互に隣接する第１の辺および第２の辺にコンデンサーがそれぞれ設けられるとともに、相互に隣接する第３の辺および第４の辺に抵抗器がそれぞれ設けられており、第２の辺に設けられたコンデンサーに、１つの放射体または相互に直列接続された複数の放射体が、直列接続されている請求項５に記載の還元性付与装置。
【請求項７】
前記放射体には、放電管が直列接続されている請求項６に記載の還元性付与装置。
【請求項８】
前記放射体は、一方の端部同士が短絡された一対の導電線を、平行な状態でコイル状に巻回して構成されている請求項３に記載の還元性付与装置。
【請求項９】
前記放射体は複数であり、各放射体は、それぞれ、１本の導電線を平面内にて渦巻状に巻回して構成されている請求項３に記載の還元性付与装置。
【請求項１０】
前記放射体は、適当な間隔をあけて平行に配置された複数の導電性の板が、電気的に直列に接続されて構成されている請求項３に記載の還元性付与装置。
【請求項１１】
前記放射体は空気中または水中に配置されている請求項３に記載の還元性付与装置。
【発明の詳細な説明】
【０００１】
【発明の属する技術分野】
本発明は、水、あるいは水を含む各種物体、無機質の物体等に還元性を付与する方法および装置に関する。
【０００２】
【従来の技術】
水、食物、生物等の各種物体は、酸化することによって劣化することはよく知られている。このために、例えば、水や食物では、ＳＯＤ（活性酸素消去物質）等の薬剤や添加物によって、あるいは、冷凍や冷蔵保存によって、酸化を防止することが行われている。また、最近では、活性酸素による悪影響が小さく、還元性を有するアルカリ性の水や食物が、健康的であり、好ましいものとして注目されている。
【０００３】
【発明が解決しようとする課題】
各種物体の酸化を抑制するために、薬剤等を使用する場合には、副次的な影響が危惧される。また、アルカリ性の水や食物は、必ずしも良好な還元性ではなく、長期にわたる保存等に適さず、しかも、多量に生産することができるものでもない。
【０００４】
本発明は、このような問題を解決するものであり、その目的は、水、食物、生物、無機質等の各種物体に対して容易に還元性を付与することができる方法および装置を提供することにある。
【０００５】
【課題を解決するための手段】
本発明の還元性付与方法は、７Ｈｚ以下の低周波数であって、縦波の性質を有する電磁波を、還元性を付与すべき物体に対して照射することを特徴とする。
【０００６】
前記電磁波には、微細な波形成分が重畳されている。
【０００７】
本発明の還元性付与装置は、７Ｈｚ以下の低周波数の交流電流を発生させる電源手段と、この電源手段にて発生される交流電流が通電されて、縦波の性質を有する７Ｈｚ以下の低周波数の電磁波を放射する放射体と、を具備することを特徴とする。
【０００８】
前記電源手段は、微細な波形成分が重畳された交流電流を発生する。
【０００９】
前記電源手段は、交流電流が通電されることによって、７Ｈｚ以下の低周波数の交流電流が発生するブリッジ回路によって構成された発振回路を有している。
【００１０】
前記発振回路のブリッジ回路は、相互に隣接する第１の辺および第２の辺にコンデンサーがそれぞれ設けられるとともに、相互に隣接する第３の辺および第４の辺に抵抗器がそれぞれ設けられており、第２の辺に設けられたコンデンサーに、１つの放射体または相互に直列接続された複数の放射体が、直列接続されている。
【００１１】
前記放射体には、放電管が直列接続されている。
【００１２】
前記放射体は、一方の端部同士が短絡された一対の導電線を、平行な状態でコイル状に巻回して構成されている個体を単独又は複数が組合される。
【００１３】
或は、前記放射体は複数であり、各放射体は、それぞれ、１本の導電線を平面内にて渦巻状に巻回して構成されている。
【００１４】
或は、前記放射体は、適当な間隔をあけて平行に配置された複数の導電性の板が、電気的に直列に接続されて構成されている。
【００１５】
前記放射体は空気中または水中に配置されている。
【００１６】
【発明の実施の形態】
以下、本発明の実施の形態を、図面に基づいて詳細に説明する。
【００１７】
図１は、本発明の還元性付与方法の実施に使用される還元性付与装置の実施の形態の一例を示す概略構成図である。この還元性付与装置は、低周波数の交流電流を発生する電源手段としての発振回路２０と、発振回路２０によって発生する低周波数の交流電流が通電されて低周波数の電磁波が放射される一対の放射体１０とを有している。本実施の形態では、一対の放射体１０が電気的に直列接続されているが、１つの放射体１０を使用するようにしてもよい。
【００１８】
各放射体１０は、それぞれ、一方の端部同士を相互に接続した短絡部１２にて短絡されている一対の導電線１１を、平行な状態でコイル状に巻回して構成されている。コイル状に巻回される各導電線１１は、相互に絶縁状態になるように、絶縁体によってそれぞれ被覆されている。
【００１９】
このような放射体１０は、単独で、あるいは、複数を組合せて使用されるが、複数の放射体１０を使用する場合には、各放射体１０は、電気的に相互に直列接続される。本実施の形態では、一方の放射体１０を構成する各導電線１１における短絡されていない端部が、他方の放射体１０を構成する各導電線１１における短絡されていない端部に接続されて、各放電体１０同士が電気的に直列に接続される。そして、直列に接続された各放射体１０に、発振回路２０において発生した交流電流が通電されるようになっている。
【００２０】
発振回路２０は、４つの辺によって構成されたブリッジ回路になっており、ブリッジ回路を構成する第１の辺には、内部抵抗値Ｒ１、容量Ｃ１のコンデンサー２１が設けられている。また、この第１の辺に対して接続点２０ａを介して接続された第２の辺には、交流電流計２５と、内部抵抗値Ｒ２および容量Ｃ２の第２コンデンサー２２との直列回路と、単独又は相互に直列接続された複数の放射体１０（全抵抗値Ｒ６）と、スライダック２６（全抵抗値Ｒ５）によって調整された交流電流が流れる放電管２７とが、直列に接続されている。
【００２１】
第１の辺に対して接続点２０ｂを介して接続された第３の辺には、抵抗値Ｒ３の第３抵抗器２３が設けられており、また、第２の辺に対して接続点２０ｄを介して接続された第４の辺には、抵抗値Ｒ４の第４抵抗器２４が設けられている。そして、第３の辺に設けられた抵抗器２３と、第４の辺に設けられた第４抵抗器２４とが、接続点２０ｃによって相互に接続されている。接続点２０ｃと、この接続点２０ｃと対向して第１の辺と第２の辺とを接続する接続点２０ａとの間には、ブロッキングダイオード２９が設けられている。
【００２２】
第１の辺と第３の辺とを接続する接続点２０ｂと、第２の辺と第４の辺とを接続する接続点２０ｄとの間には、交流電源３０によって与えられる交流電流が、スライダック３１によって調整された状態で与えられている。この交流電源３０としては、例えば、一般家庭に供給されている５０Ｈｚまたは６０Ｈｚの交流電流が使用されている。交流電源３０には、漏電ブレーカー３２および交流電流計３３が、それぞれ直列接続されており、また、ブリッジ回路によって構成された発振回路２０に通電される交流電圧および交流電流が、交流電圧計３４および交流電流計３５によって、それぞれ、測定されるようになっている。
【００２３】
発振回路２０における第１コンデンサー２１および第２コンデンサー２２は、例えば、その容量Ｃ１およびＣ２が、それぞれ２２００μＦおよび１２５０μＦの大容量とされている。また、第３抵抗器２３および第４抵抗器２４における各抵抗値Ｒ３およびＲ４は、次の（１）式および（２）式を満足するように、それぞれ設定されている。
【００２４】
Ｒ３／（Ｒ３＋Ｒ４）＜１／３  …（１）
Ｒ３＋Ｒ４＝１５０（Ω）    …（２）
【００２５】
第２コンデンサー２２の内部抵抗値Ｒ２、スライダック２６の全抵抗値Ｒ５、直列接続された単独又は複数の放射体１０の全抵抗値Ｒ６の全ての合成抵抗値をＲ０とすると、発振回路２０からの交流電流の周波数ｆ（Ｈｚ）は、次の（３）式によって求められる。
【００２６】
ｆ＝１／｛２π（Ｃ１・Ｃ２・Ｒ１・Ｒ０）１／２｝  …（３）
【００２７】
第２コンデンサー２２の内部抵抗値Ｒ２と、スライダック２６の全抵抗値Ｒ５と、接続された放射体１０の全抵抗値Ｒ６を含めた全ての合成抵抗値Ｒ０は、２ＭΩ前後になっているために、発振回路２０からの交流電流の周波数ｆは、０．０５×１０−３（Ｈｚ）程度が見込まれる。
【００２８】
このように、それぞれが大容量の第１コンデンサー２１および第２コンデンサー２２を使用した発振回路２０は、きわめて低い周波数の交流電流を発生することができ、発振回路２０からの発せられた低周波数の交流電流が、直列接続された各放射体１０に通電される。
【００２９】
スライダック２６としては、市販品として常用されている単巻変圧器タイプが使用される。この場合、スライダック２６は、低圧（２次）側（ＯＵＴ  ＰＵＴ端子）を第２辺の電線路に直列に接続し、その高圧（１次）側（ＩＮ  ＰＵＴ端子）に放電管２７を接続し、この放電管２７に与えられる電圧が最大（放電管の輝度が最高）であって、放射体１０に対する通電電流が最大になるように、調整されている。このようにして、放射体１０に対して電気的に直列接続されたと解釈できる放電管２７では、グロー放電によって放出される電子が不活性の封入ガスと衝突することによって、発光現象とともに、１０−８ｃｍ程度の分子間領域における分子の結合および離脱によって電気的な「ゆらぎ」が発生している。そして、この電気的な「ゆらぎ」に起因する微細な波形成分が、放射体１０に通電される低周波数の交流電流に重畳されている。
【００３０】
直列接続されたこの放射体１０には、このように、放電管２７によって発生する微細な波形成分が重畳された低周波数の交流電流が通電されている。直列接続された各放射体１０は、一方の端部同士が短絡部１２によって短絡された一対の導電線１１を、平行な状態でコイル状に巻回して構成されているために、平行になった一対の導電線１１を流れる電流の方向が相反する方向になっており、１本の導電線をコイル状に巻回した場合に比較して、発生する電磁波の磁界強度が小さくなる。その結果、各放射体１０から放射される電磁波は、横波（進行方向に対して直交する方向に振動する波）成分が減少し、縦波（進行方向と同方向に振動する波）の性質が強く現れる。
【００３１】
発生している電磁波は、周波数が極めて低く、波長が極めて長大であるために、電磁波の発生源である放射体１０の近傍では定在波が発生しており、従って、この放射電磁波は、縦波の性質に加え、定在波としての性質を併せ持っていると考えられる。
【００３２】
このような構成の還元性付与装置では、それぞれから微細波形が重畳された定在波状の電磁波が放射される放射体１０に向って、還元性を付与すべき物体が配置されて、各放射体１０から放射される電磁波がその物体に照射される。
【００３３】
本実施の形態において、一対の放射体１０の間に、容器内に充填された水を配置した場合、各放射体１０からの電磁波が照射された水は、１５〜３０分が経過した時点で、ＯＲＰ（酸化還元電位）値が低下し、還元性が付与され始める。そして、２〜１２時間が経過した時点で、ＯＲＰ値がほぼ一定になる。電磁波が照射されている間の水のｐＨ値は、若干変化するものの、中性領域内にある。このようにして還元性が付与された水は、少なくとも６か月にわたっては、ＯＲＰ値およびｐＨ値がほとんど変化しない。なお、単独の放射体１０によって電磁波を照射した場合も同様の結果が得られる。
【００３４】
物体の還元性については、物体の酸化還元電位（ＯＲＰ）を測定して、ＯＲＰ値が低下することによって、還元性が付与されているものと判断した。
【００３５】
放射体１０によって放射される電磁波によって、水に還元性が付与される理由については明らかではないが、放射体１０から放射される電磁波は、低周波数であって、しかも縦波の性質を有しているために、水の分子は、低速ではあるが、電磁波に追従して確実に移動し、その移動の間に水分子が離合集散すると考えられる。このような水分子の離合集散によって、水中ではＨ３Ｏ＋（ヒドロニウムイオン）として比較的安定した状態になっているＨ＋（水素イオン）が、経時的に分離されて、水に還元性が付与されると考えられる。この場合、電磁波には、微細波形が重畳されているために、水分子が複雑に挙動することになり、これによって、Ｈ＋も効率よく分離されると考えられる。水分子は、Ｏ２−に対してＨ＋が外側に結合されているために、Ｈ＋が分離しやすい構造であり、還元性が付与されやすい。
【００３６】
各放射体１０から放射される電磁波の周波数としては、大地と電離層との間で発生する共振現象（シューマン共振）の周波数（７ＨＺ前後）以下であればよいと考えられる。各放射体１０から放射される電磁波の周波数は、発振回路２０における各コンデンサー２１および２２の容量等によって、変更することができる。
【００３７】
マイクロ波等の高周波の電磁波が水に照射された場合には、水分子は、高周波の電磁波に追従することができずに停止した状態になるために、水分子は効率よく電磁波を吸収し、発熱、ラジカル化等の作用が生じることになる。
【００３８】
放射体１０から発生している電磁波は、低周波数であるため、この発熱、ラジカル化が起り得ない。
【００３９】
還元性が付与される物体としては、このように、特に顕著な効果が得られる水に限らず、水が含まれている有機物も、同様にして、還元性が付与される。例えば、放射体１０からの電磁波を生野菜に照射して、鮮度の劣化を経時的に観察したところ、電磁波が照射されていない同一条件の生野菜に比べて、明らかに鮮度の劣化が緩やかであり、冷蔵保存の生野菜と同程度の鮮度が保持されていた。また、電磁波を照射した生卵を割ってシャーレに盛って観察したところ、電磁波が照射されていない生卵に比べて、明らかに鮮度の劣化が緩やかであった。さらに、牛乳についても同様にして観察したところ、２週間後において、電磁波が照射されていない牛乳は腐敗したが、電磁波が照射された牛乳は、ヨーグルト状になった。
【００４０】
また、ガラス、セラミック等の無機物、特に結晶性の無機物も還元性が付与されると考えられる。例えば、水が充填されていない空のガラス容器、セラミック容器等に放射体１０によって電磁波を、２〜７日程度にわたって照射した後に、各容器に水を充填したところ、充填された水は、ｐＨ値はほとんど変化しないが、ＯＲＰ値は低下し、水に還元性が付与されていた。
【００４１】
さらに、放電された乾電池に電磁波を照射したところ、充電状態に戻った。この場合には、乾電池内の化学物質に、放電とは逆の化学変化が発生したものと考えられる。また、乾電池の外ケースを構成する金属は、放射体１０から放射される電磁波を透過したと考えられる。
【００４２】
放射体１０に低周波電流を通電する発振回路２０は、一般家庭で使用される交流電流を電源として使用しており、しかも、その消費電力は、各抵抗器２３および２４による発熱、各スライダック２６および３１による発熱、放電管２７の点灯程度であり、きわめて経済的である。さらに、各放射体１０から放射される電磁波は、低周波数になっているために、環境に対して悪影響を及ぼすおそれもない。
【００４３】
放射体１０としては、相互に短絡された一対の導電線１１を平行な状態でコイル状にした構成の場合には、１つの放射体１０によって、電磁波を被放射体に照射するようにしてもよく、さらに、複数個を使用してもよい。いずれの場合にも、物体に対して還元性を付与することができる。
【００４４】
放射体１０として、一対の導電線１１を中空のコイル状に巻回して構成する場合には、一対の導電線１１が適当な保持手段によって中空コイル状に保持されるように構成される。また、適当な心材に一対の導電線１１を巻回することによってコイル状に構成してもよい。
【００４５】
放射体１０としては、一定の外径を有する中空のコイル状に限らず、例えば、図２（ａ）に示すように、一方の端部同士が短絡された一対の導電線１１を平行な状態で中空の円錐形状に巻回したもの、図２（ｂ）に示すように、相互に短絡された一対の導電線１１を平面内にて渦巻状に巻回したものであってもよい。平面内にて渦巻状に巻回する場合には、一対の導電線１１を適当な保持手段によって平面内に保持する必要がある。さらに、図２（ｃ）に示すように、相互に短絡された一対の導電線１１を、円筒状の支持ブロック１３の内周面に、コイル状に巻回された状態で埋め込むようにしてもよい。このように、支持ブロック１３を使用する場合には、支持ブロック１３の外周面に、相互に短絡された一対の導電線１１をコイル状に巻回して構成してもよく、さらには、支持ブロック１３の内周面および外周面の両方に、相互に短絡された一対の導電線１１をコイル状に巻回して構成してもよい。
【００４６】
コイル状に巻回された一対の導電線１１を保持する心材および支持ブロック１３としては、非磁性の絶縁体であればよいが、ガラス、セラミック類が、プラスチック類、木材等よりも電気絶縁性に優れた非磁性体であるために好ましく、結晶性の鉱石類、特に水晶がさらに好ましい。
【００４７】
いずれの場合も、コイル状に巻回される一対の導電線１１を、１回または複数回にわたって、捻った状態としてもよい。また、相互に短絡された一対の導電線１１に替えて、１本の導電線を二つ折りにしてコイル状に巻回してもよい。
【００４８】
また、図３に示すように、それぞれが絶縁体によって被覆された各導電線１１の一方の端部同士を短絡した状態で、一方の導電線１１に、他方の導電線１１を巻回した状態で、コイル状に巻回して放射体１０を構成してもよい。この場合、一方の導電線１１に巻回される他方の導電線１１が弛まないように、図３に示すように巻回することが好ましい。
【００４９】
さらに、一対の導電線１１を中空のコイル状に巻回する構成に限らず、図４に示すように、１本の導電線１１を平面内にて渦巻状に巻回して平板状の支持板１４に固定して放射体１０を構成するようにしてもよい。導電線１１を固定する平板状の支持板１４として金属を使用する場合は、アルミニウム板が特に好ましく、また、銅板も好適に使用し得る。
【００５０】
このような平面状の放射体１０を使用する場合には、２つ以上の放射体を使用することが好ましく、２つの放射体１０を使用する場合には、電磁波が照射される物体を間に挟んで相互に対向させた状態とすることが好ましい。また、３つの放射体１０を使用する場合には、一対の放射体１０の間に物体を挟んで相互に対向させた状態に配置して、他の１つの放射体１０を、物体の上方を覆うように配置して使用することが好ましい。この場合には、各放射体１０から発生する電磁波については、周辺環境に存在する磁気の影響が軽減される。
【００５１】
平面状の放射体１０では、ソレノイドコイルと同様に、隣接する導電線１１内を同方向に電流が流れるために、放射される電磁波の電界強度と磁界強度との比は小さくなるが、物体に対して２つまたは３つの平面状放射体１０を囲んで使用することによって、各放射体１０間における電磁波の電界強度と磁界強度との比を大きくすることができ、物体に対して、縦波の性質を有する電磁波を照射することができる。
【００５２】
放射体１０としては、このような導電線１１を使用する構成に限らず、図５に示すように、複数の導電性の金属板１５を組み合わせて構成してもよい。この場合には、複数の金属板１５は、適当な間隔をあけて相互に平行な状態に配置される。そして、例えば、塩化ビニル等の絶縁体によって構成された一対のボルト１６が全ての金属板１５に挿通されて、隣接する一対の金属板１５が一定の間隔を保持するように、各ボルト１６に、隣接する一対の金属板１５間にスペーサー１８が嵌合された状態で、各ボルト１６の端部に、塩化ビニル等の絶縁体によって構成されたナット１７がそれぞれネジ結合される。各金属板１５は、電気的に直列に接続されるように、一つの金属板１５と、その金属板１５に対して一方の側方に隣接する金属板１５とが、それぞれ、導電線１１によって電気的に接続される。
【００５３】
このような放射体１５では、隣接する金属板１５を流れる電流の方向が逆方向となり、放射される電磁波の電界強度と磁界強度との比が大きくなって、縦波の性質を有する電磁波が放射される。
【００５４】
各放射体１０は、被放射体に対して、直接、電磁波を照射するようにしてもよいが、放射体１０を水中に密封して、放射体１０から放射される電磁波を水を通して被放射体に照射するようにしてもよい。この場合には、放射体１０を密封する水を収容する容器としては、金属以外の無機質であって、比誘電率が小さいガラス、セラミック、陶器等が好ましい。
【００５５】
【実施例】
＜実施例１＞
放射体１０として、碧玉（珪酸鉱物の三方晶系）によって、内径５０ｍｍ、外径７０ｍｍ、肉厚１０ｍｍ、深さ７０ｍｍ、高さ１００ｍｍの有底円筒状に構成された心材の内周面および外周面に、０．５ｍｍ２の全長２０ｍの一対のビニルコードを、それぞれの一方の端部を短絡させて、それぞれに密に巻回し、内周面および外周面に巻回されたビニルコードを防水性の粘着テープでそれぞれ被覆して構成して、この１つの放射体１０を、図１に示すように、発振回路２０に接続した。発振回路２０の第１コンデンサー２１および第２コンデンサー２２のそれぞれの容量Ｃ１およびＣ２は、２２００μＦおよび１２５０μＦである。そして、交流電流調整用のスライダック３１を調整して交流電源３０からの電圧を５Ｖ程度とし、放電管２７として使用したネオンランプが最も明るく点灯するように、放電管２７調整用のスライダック２６を調整した。その後に、交流電流調整用のスライダック３１によって電圧１０Ｖとして、放射体１０に対する通電電流を２．５Ａに設定した。
【００５６】
このような状態で、放射体１０を、板ガラスが敷かれた机上に載置して、約１５ｃｍ離れた机上に、水道水３００ミリリットルが充填されたガラス容器（ＮＯ．１）と、水道水３００ミリリットルが充填されたポリプロピレン製の容器（ＮＯ．２）とをそれぞれ載置した。また、放射体１０に対して１３０ｃｍ離れた机上に、水道水３００ミリリットルが充填されたガラス容器（ＮＯ．３）を載置した。各容器の周囲には、空間が形成されている。
【００５７】
大阪市内の高層住宅に於ける高架タンク貯溜方式の水道水は、水道蛇口より採水した際、一般的にＯＲＰ値は＋６００〜＋７００ｍＶを示し、これを煮沸後、冷却したり、開放容器に充填し、約１昼夜静置することによって、＋４００〜＋３００ｍＶのＯＲＰ値になり、その経過にともなって、溶存塩素が減少していることが知られている。
【００５８】
放射体からの照射を受けるこれらの水道水について、得られる効果を正確に表現するため、この溶存塩素の影響を極力少くする目的で、各容器に充填後、開放にて約２０〜２４時間にわたって室内に静置したものを使用することとし、照射の直前に、オルトトリジン０．１％水溶液を滴下して、残留塩素の存在がないことを確認した。
【００５９】
各容器内の水のＯＲＰ値を、酸化還元電位計（東亜電波社製、商品名「ＲＭ−１２Ｐ、Ｎｏ５ＡＣＺ６３６Ｗ」、センサー部「ＰＴＳ−２０１９Ｃ、Ｎｏ８０１Ｆ０１５１」）によって測定したところ、電磁波の放射前は、ＮＯ．１ガラス容器内の水のＯＲＰ値は＋２８８ｍＶ、ＮＯ．２容器内の水のＯＲＰ値は＋２８９ｍＶ、ＮＯ．３容器内の水のＯＲＰ値は＋２８７ｍＶであったが、通電開始後、約１時間３０分が経過した時点では、ＮＯ．１ガラス容器内の水のＯＲＰ値は＋２５１ｍＶ、ＮＯ．２容器内の水のＯＲＰ値は＋２５０ｍＶ、ＮＯ．３容器内の水のＯＲＰ値は＋２５６ｍＶにそれぞれなった。そして、約３時間が経過した時点では、ＮＯ．１ガラス容器内の水のＯＲＰ値は＋２３１ｍＶ、ＮＯ．２容器内の水のＯＲＰ値は＋２３０ｍＶ、ＮＯ．３容器内の水のＯＲＰ値は＋２３４ｍＶにそれぞれなった。その後、約５時間が経過するまでは、ＮＯ．１ガラス容器内の水のＯＲＰ値は＋２２９ｍＶ前後、ＮＯ．２容器内の水のＯＲＰ値は＋２３０ｍＶ前後、ＮＯ．３容器内の水のＯＲＰ値は＋２３２ｍＶ前後であった。
【００６０】
結果を表１に示す。
【００６１】
＜実施例２＞
実施例１における放射体１０を、直径１３０ｍｍ、深さ１４０ｍｍの円筒状のポリプロピレン製の容器内に配置して、その容器に１．２リットルの水道水を充填して密封した。このように水道水によって放射体１０を水封したこと以外は、実施例１と同様にして、ＮＯ．１ガラス容器、ＮＯ．２容器、ＮＯ．３容器内のそれぞれの水のＯＲＰ値を測定したところ、通電前のＮＯ．１ガラス容器内の水のＯＲＰ値が＋２９３ｍＶ、ＮＯ．２容器内の水のＯＲＰ値は＋３２５ｍＶ、ＮＯ．３容器内の水のＯＲＰ値は＋３１３ｍＶ、放射体１０を密封した水のＯＲＰ値は＋２９６ｍＶであったが、通電開始後、約１時間３０分が経過した時点では、ＮＯ．１ガラス容器内の水のＯＲＰ値は＋２８０ｍＶ、ＮＯ．２容器内の水のＯＲＰ値は＋２７７ｍＶ、ＮＯ．３容器内の水のＯＲＰ値は、＋２８７ｍＶ、放射体１０を密封する水のＯＲＰ値は＋２４５ｍＶにそれぞれなっており、約３時間が経過した時点では、ＮＯ．１ガラス容器内の水のＯＲＰ値は＋２５６ｍＶ、ＮＯ．２容器内の水のＯＲＰ値は＋２５３ｍＶ、ＮＯ．３容器内の水のＯＲＰ値は＋２６３ｍＶ、放射体１０を密封する水のＯＲＰ値は＋１６７ｍＶにそれぞれなった。
【００６２】
さらに、約８時間が経過した時点では、ＮＯ．１ガラス容器内の水のＯＲＰ値は＋２４６ｍＶ、ＮＯ．２容器内の水のＯＲＰ値は＋２４５ｍＶ、ＮＯ．３容器内の水のＯＲＰ値は＋２４７ｍＶ、放射体１０を密封する水のＯＲＰ値は＋１５９ｍＶ、約１０時間が経過した時点では、ＮＯ．１ガラス容器内の水のＯＲＰ値は＋２１２ｍＶ、ＮＯ．２容器内の水のＯＲＰ値は＋２１０ｍＶ、ＮＯ．３容器内の水のＯＲＰ値は＋２１３ｍＶ、放射体１０を密封する水のＯＲＰ値は＋１３８ｍＶ、約１２時間が経過した時点では、ＮＯ．１ガラス容器内の水のＯＲＰ値は＋２０９ｍＶ、ＮＯ．２容器内の水のＯＲＰ値は＋２０７ｍＶ、ＮＯ．３容器内の水のＯＲＰ値は＋２１０ｍＶ、放射体１０を密封する水のＯＲＰ値は＋１２１ｍＶ、約１５時間が経過した時点では、ＮＯ．１ガラス容器内の水のＯＲＰ値は＋２０８ｍＶ、ＮＯ．２容器内の水のＯＲＰ値は＋２０６ｍＶ、ＮＯ．３容器内の水のＯＲＰ値は＋２０９ｍＶ、放射体１０を密封する水のＯＲＰ値は＋９３ｍＶにそれぞれなり、その後、約１２時間にわたって、それぞれのＯＲＰ値が維持されていた。
【００６３】
約１２時間が経過した時点で、放射体１０に対する通電を終了して、各容器内の水を密封した状態で保管したところ、３日が経過した時点で、ＮＯ．１ガラス容器内の水のＯＲＰ値は＋２２０ｍＶ、ＮＯ．２容器内の水のＯＲＰ値は＋２２５ｍＶ、ＮＯ．３容器内の水のＯＲＰ値は＋２２５ｍＶ、放射体１０を密封する水のＯＲＰ値は＋１４５ｍＶ、７日が経過した時点で、ＮＯ．１ガラス容器内の水のＯＲＰ値は＋２３３ｍＶ、ＮＯ．２容器内の水のＯＲＰ値は＋２３５ｍＶ、ＮＯ．３容器内の水のＯＲＰ値は＋２３３ｍＶ、放射体１０を密封する水のＯＲＰ値は＋１９７ｍＶであった。結果を表１に併記する。
【００６４】
それぞれの容器内の水を飲用したところ。まろやかであり、ペットボトルに充填されて市販されている天然水と同等、あるいはそれ以上の清涼感があった。また、各容器内の水によって紅茶を抽出したところ、水道水では得られない金環色が得られた。さらに、各容器内の水によって緑茶を抽出したところ、鮮やかな緑色が得られ、黄色化するまでの時間が、通常の水道水を使用して抽出した場合に比べて、２〜３倍程度の時間を要した。また、各容器内の水を、随時、切り花に注いだところ、通常の水道水を、随時、注いだ場合に比較して、枯れるまでの期間が２倍以上に延びた。
【００６５】
＜実施例３＞
図４に示す放射体１０を構成するべく、厚さ１ｍｍのアルミニウム製のパンチングメタル（３００×２００ｍｍ）を支持板１４として、その中心部のパンチ孔に、全長７ｍのＴＶ用同軸ケーブル（３Ｃ２Ｖ）を背面から挿通し、パンチングメタルの正面に外周に向かって渦巻状に巻回した。ケーブルは、パンチングメタル製の支持板１４における適当な各パンチ孔を利用して、外径６ｍｍの銅線によって支持板１４に固定した。
【００６６】
このような放射体１０を３つ準備した。各放射体１０のケーブルは、渦巻の巻き方向が、それぞれ同一になっている。各放射体１０は、机上にて４０ｃｍ角の立方体の空間が形成されるように、一対を、４０ｃｍの間隔をあけてケーブル同士が相互に対向した垂直な状態で配置するとともに、他の１つを、垂直に配置された一対の放射体１０間の上方を覆うように、ケーブルが下側になるように水平に配置した。水平に配置された放射体１０は、紐によって吊り下げた。各放射体１０は、それぞれのケーブルを相互に直列接続した状態で、図１に示す発振回路２０における放射体１０に替えて直列接続した。
【００６７】
そして、実施例１と同様に、水道水３００ミリリットルが充填されたガラス容器（ＮＯ．１）と、水道水３００ミリリットルが充填されたポリプロピレン製の容器（ＮＯ．２）とを、各放射体１０にて囲まれた空間の中心部にそれぞれ載置した。また、各放射体１０にて囲まれた空間から１３０ｃｍ離れた机上に、水道水３００ミリリットルが充填されたガラス容器（ＮＯ．３）を載置した。その後、実施例１と同様の条件で、発振回路２０に通電した。
【００６８】
通電前のＮＯ．１ガラス容器内の水のＯＲＰ値は＋２６１ｍＶ、ＮＯ．２容器内の水のＯＲＰ値は＋２５９ｍＶ、ＮＯ．３容器内の水のＯＲＰ値は＋２６０ｍＶであったが、通電開始後、約１時間３０分が経過した時点では、ＮＯ．１ガラス容器内の水のＯＲＰ値は＋２３３ｍＶ、ＮＯ．２容器内の水のＯＲＰ値は＋２３１ｍＶ、ＮＯ．３容器内の水のＯＲＰ値は、＋２３４ｍＶにそれぞれなっており、約４時間が経過した時点では、ＮＯ．１ガラス容器内の水のＯＲＰ値は＋２１５ｍＶ、ＮＯ．２容器内の水のＯＲＰ値は＋２１５ｍＶ、ＮＯ．３容器内の水のＯＲＰ値は＋２１６ｍＶにそれぞれなった。その後、約１２時間にわたって、それぞれのＯＲＰ値がほぼ維持されていたので、約１２時間が経過した時点で、発振回路２０に対する通電を終了した。各容器内の水を使用した結果は、実施例２と同様であった。結果を表１に併記する。
【００６９】
【表１】
0004021574.tif 000002
【００７０】
【発明の効果】
本発明の還元性付与方法および還元性付与装置は、このように、水、食物等の物体に対して、容易に還元性を付与することができるために、物体の酸化による劣化等を薬品等を使用することなく抑制することができる。
【図面の簡単な説明】
【図１】本発明の還元性付与装置の実施の形態の一例を示す概略構成図である。
【図２】（ａ）、（ｂ）、（ｃ）は、それぞれ、その還元性付与装置に使用される放射体の他の例を示す斜視図である。
【図３】本発明の還元性付与装置に使用される放射体のさらに他の例を示す要部の拡大図である。
【図４】本発明の還元性付与装置に使用される放射体のさらに他の例を示す斜視図である。
【図５】本発明の還元性付与装置に使用される放射体のさらに他の例を示す斜視図である。
【符号の説明】
１０  放射体
１１  導電線
１２  短絡部
１３  支持ブロック
１４  支持板
１５  金属板
２０  発振回路
２１  第１コンデンサー
２２  第２コンデンサー
２３  第３抵抗器
２４  第４抵抗器
２６  スライダック
２７  放電管
【図１】
0004021574.tif 000003
【図２】
0004021574.tif 000004
【図３】
0004021574.tif 000005
【図４】
0004021574.tif 000006
【図５】
0004021574.tif 000007